(57)【特許請求の範囲】
【請求項１】
原稿を照明する照明手段と、
照明された前記原稿の画像を読み取る光電変換手段と、
前記原稿を保持する原稿保持手段と、
前記原稿保持手段を載置する載置手段と、
前記載置手段を移動する移動手段とを有する画像入力装置において、
前記光電変換手段による前記原稿の画像読み取り可能範囲外に設けられた、前記載置手段を固定する固定手段と、
前記移動手段を収納する収納手段と、
前記収納手段に設けられており、前記収納手段の外部から前記移動手段に前記原稿保持手段を挿入可能な開口部と、
第一の操作により排出信号を出力し、第二の操作により固定位置信号を出力する排出・固定指示手段と、
前記排出信号と前記固定位置信号との何れが出力されたかを検知する検知手段とを更に有し、
前記検知手段が前記排出信号出力を検知することに応答して、前記移動手段が前記原稿保持手段を、前記開口部向きに移動し、前記検知手段が前記固定位置信号出力を検知することに応答して、前記移動手段が前記原稿保持手段を、前記光電変換手段による前記原稿の画像読み取り可能範囲外に、移動することを特徴とする画像入力装置。
【請求項２】
前記第二の操作は、前記第一の操作が所定時間以上続けて行われることであることを特徴とする請求項１記載の画像入力装置。
【発明の詳細な説明】
【０００１】
【産業上の利用分野】
本発明は、反射原稿や透過原稿の画像を読み取る画像入力装置に関するものである。
【０００２】
【従来の技術】
画像入力装置の従来の一例として、いわゆる３５ｍｍスライドフィルムスキャナの構成を図８、図９に示す。
これらの図において、透過原稿としてのフィルム１はスライド２のマウント部３に保持されている。
【０００３】
スライド１はステージ４上に設けられたホルダ５上に板ばね（不図示）により付勢されて、着脱自在に保持されている。ステージ４はステージ駆動機構により駆動される。
ステージ駆動機構はリードねじ６とステージモータ７とガイドバー８とガイド部材９とから構成される。リードねじ６はステージ４に螺合している。ステージモータ７はリードねじ６を回転駆動するためのものである。ガイドバー８はガイ
ド部材９と係合し、ステージ４の水平方向の移動を案内するためのものである。
【０００４】
フィルム１はハロゲンランプなどの光源１１から熱線吸収フィルタ１２、拡散板１３、色フィルタ１４、コンデンサレンズ１５を介して出射される光束により照射される。
【０００５】
フィルム１を透過した透過光はミラー１６により垂直方向に光軸が折り曲げられ、レンズ１７によりライン型イメージセンサであるＣＣＤ１８上に結像される。このようにしてフィルム１の画像はＣＣＤ１８により読み取られる。ＣＣＤ１８は画像を光電変換して画像信号を画像処理部（不図示）へ出力する。
なお、色フィルタ１４には赤、青、緑の３色のフィルタが備えられており、交互に同一画像を照射することによりカラー画像の入力を行う。
【０００６】
レンズ１７とライン型イメージセンサであるＣＣＤ１８とは、結像部支持部材２１上に一定の間隔で固定保持されている。また、結像部支持部材２１は焦点合わせ駆動機構により駆動される。
焦点合わせ駆動機構はリードねじ２２と焦点合わせモータ２３とガイドバー（不図示）とガイド部材（不図示）とから構成されている。リードねじ２２は結像部支持部材２１に螺合する。焦点合わせモータ２３はリードねじ２２を回転駆動するためのものである。ガイドバー（不図示）はガイド部材（不図示）と係合し、レンズ１７とＣＣＤ１８とを光軸方向に案内するためのものである。
【０００７】
図示しない画像処理部では、画像の入力処理の他に、焦点合わせ駆動機構を駆動させてはコントラスト演算をしながら、焦点合わせ動作を自動的に行うなどの処理がなされる。
収納手段としてのケース２４にはステージ４の移動空間を構成する凹部２４ａと、凹部２４ａの両側にそれぞれ配置された凸部２４ｂ、２４ｃとが形成されている。一方の凸部２４ｂには光源１１、拡散板１３、色フィルタ１４及びコンデンサレンズ１５などの照明部と電源２５とが収納されている。他方の凸部２４ｃにはミラー１６、レンズ１７及びＣＣＤ１８などの結像部と、ステージ４の駆動機構とが収容されている。
【０００８】
凹部カバー３０は手動により移動可能で、スライド２をステージ４にセットする際に開放され、画像の読み取り時には閉鎖される。図９は凹部カバー３０を閉じた状態を示す。凸部２４ｂの側面には、コンデンサレンズ１５の側面位置に空気吸入手段としての空気取入孔２６が設けられている。凸部２４ｃには光源１１の近くに空気排出手段としての排気ファン２７が設けられている。排気ファン２７は光源１１や電源２５から発生する熱をケース２４外に排出する。
【０００９】
画像の読み取りに際しては、ホストコンピュータ上で読み取り範囲の指定を行う。原稿の濃度に応じて光量やＣＣＤの蓄積時間の調整を行ったりするが、その間も読み取り範囲の設定は記憶されている。
【００１０】
【発明が解決しようとする課題】
従来の装置においては、そのため画像入力装置を輸送する時に衝撃が加わるとガイドバー８とステージ４とが当接する部分に変形等があると、画像読み取りに影響を与えてしまう。高解像度での画像読み取りにおいてステージ４７の副走査方向の移動が精密に行われないと十分な画質がでないという問題が生じる。
【００１１】
本発明の装置は上述の問題点に鑑みてなされたものであり、画像入力装置の外部からの影響を防止し良好な画像読み取りを実現できる装置を提供することを目的とする。
【００１２】
【課題を解決するための手段】
上記目的を達成するために本発明の装置は、原稿１を照明する照明手段１１と、照明された原稿１の画像を読み取る光電変換手段１８と、原稿１を保持する原稿保持手段６０と、原稿保持手段６０を載置する載置手段４７と、載置手段４７を移動する移動手段６，７とを有する画像入力装置において、光電変換手段１８による原稿１の画像読み取り可能範囲外に、載置手段４７を固定する固定手段１０３，１０６を有することとした。
【００１３】
【作用】
本発明の装置では、光電変換手段１８による原稿１の画像読み取り可能範囲外に、載置手段４７を固定する固定手段１０３，１０６を有することとしたので、画像入力装置の輸送などで生じる外部からの影響を防止し、良好な画像読み取りを実現することができる。
【００１４】
【実施例】
以下、本発明の画像入力装置の一実施例を図面を参照して説明する。
なお、以下の図において図８及び図９に示す従来例の部分と対応する部分には同一の符号を付してあり、その説明は適宜省略する。
図１は本発明による画像入力装置の実施例を説明する縦断面図である。
【００１５】
図２は本発明による画像入力装置の実施例を説明する斜視図で、原稿ホルダを示す。
【００１６】
図３は本発明による画像入力装置の実施例で使用される原稿ホルダの平面図である。
図４は本発明による画像入力装置の実施例で使用される原稿ホルダの使用方法を説明するための斜視図である。
図５は本発明による画像入力装置の実施例を説明する斜視図で、ステージの要部を示す。
【００１７】
図６は本発明による画像入力装置の実施例を説明する縦断面図で、ステージ上に原稿ホルダを位置決めする状態を示す。
図７は本発明による画像入力装置の実施例を説明する図であり、画像入力装置に対する原稿ホルダ、ステージ等の位置と状態とを模式的に示す図である。
まず、実施例の画像入力装置について説明する。
【００１８】
図１において、ケース３１（請求項１に記載された「収納手段」に相当）は箱形に形成されており、ケース３１の一方の正面にはフィルムホルダ６０を出し入れするための挿入口３２が設けられている。挿入口３２には軸３３回りに回動する扉３４が取り付けられている。ケース３１の内部はほぼ３層で構成されている。３層は上部から順に照明部３５と、原稿走査部３６と、結像部３７とからなっている。
【００１９】
照明部３５は、図１中右側に配置されたハロゲンランプなどの光源１１、熱吸収フィルタ１２、拡散板１３、色フィルタ１４、第１のコンデンサレンズ４１、第１のミラー４２、第２のミラー４３、第３のミラー４４及び第２のコンデンサレンズ４５などで構成されている。光源１１から出射した光は第１、第２、第３のミラーによりそれぞれ光路が垂直に折り曲げられ、フィルム１の面に対して垂直方向に照射する。従って光路が折り畳まれ、フィルム１の面に平行に配置されるため、照明部３５は薄型の構成となっている。
【００２０】
原稿走査部３６はフィルムホルダ６０、ステージ４７及びリードねじ６とステージモータ７とからなる駆動機構などで構成されている。リードねじ６及びステージ４７は、光源１１から第１のミラーまでの照明光路にほぼ平行に配置されている。
結像部３７はミラー４６、レンズ１７及びＣＣＤ１８などで構成されている。ミラー４６が反射して以降の光路が、光源１１から第１のミラーまでの照明光路にほぼ平行になるように、ミラー４６は配置されている。なおフィルム１の画像の読み取りはライン型のＣＣＤ１８により行われるので、フィルム１上の照明領域はＣＣＤ１８に対応した線状でよい。つまり照明部３５を構成するフレネル型のコンデンサレンズ４１、４５やミラー４２、４３、４４も線状でよいため、前述の通り照明光学系の光路を折り畳んで配置することができる。よって照明部３５を薄型に構成することができる。
【００２１】
また、ケース３１の図１中左側下方には、ＣＣＤ１８に対向する位置に空気取入孔（不図示）が形成されている。ケース３１の図１中右側上方には、排気ファン２７が設けられている。
ＣＰＵ４８は画像入力装置の各部を制御するためのものである。インターフェース４９は画像入力装置をホストコンピュータに接続するためのものであり、画像信号等の各種信号の出力または入力をする部分である。スイッチ５０はユーザーが操作可能な機械的なスイッチであり、その働きについては後述する。
【００２２】
なお、色フィルタ１４には赤、青、緑の３色のフィルタが備えられており、交互に同一画像を照射することによりカラー画像の入力を行うことができる。
レンズ１７とＣＣＤ１８とは、結像部支持部材２１上に一定の間隔で固定保持されている。また、結像部支持部材２１は焦点合わせ駆動機構により駆動される。
【００２３】
焦点合わせ駆動機構はリードねじ２２と焦点合わせモータ２３とガイドバー（不図示）とガイド部材（不図示）とから構成されている。リードねじ２２は結像部支持部材２１に螺合する。焦点合わせモータ２３はリードねじ２２を回転駆動するためのものである。ガイドバー（不図示）はガイド部材（不図示）と係合し、レンズ１７とＣＣＤ１８とを光軸方向に案内するためのものである。
【００２４】
図示しない画像処理部では、画像の入力処理の他に、焦点合わせ駆動機構を駆動させてはコントラスト演算をしながら、焦点合わせ動作を自動的に行うなどの処理がなされる。
上記の画像入力装置の動作中、ステージモータ７の駆動、光源１１の点灯、回路駆動のための電源２５などによる熱が発生する。しかしながらケース３１の下方のＣＣＤ１８の近傍に配置された空気取入孔（不図示）から外気が吸入される。更にケース３１内のステージモータ７、光源１１、電源２５などから発生する熱を吸収した後、排気ファン２７によって外部に排出する。よってＣＣＤ１８の周囲温度の上昇を防ぐことができる。
【００２５】
次に図２、図３、図４を用いて、フィルムホルダ６０の詳細について説明する。
フィルムホルダ６０は、その外形を構成するフレーム６１と、フレーム６１の中央に回転自在に保持されたターンテーブル６２とで構成される。フレーム及びターンテーブルは樹脂により成形されている。
【００２６】
フィルムホルダ６０は挿入方向前端に右切り欠き部６３と左切り欠き部６４とを有する矩形状の薄板形状に形成されている。右切り欠き部６３と左切り欠き部６４とは非対称形状をしている。図２に示される様に、右切り欠き部６３には正面側壁７４ａがある。また左切り欠き部６４には正面側壁７４ｂがある。
フレーム６１の右側には右側壁７５ａがあり、左側には左側壁７５ｂがある。フレーム６１の後方上部には、挿入、取り出し操作を容易にするための溝部６５が設けられている。前方の左右には、切り欠き部に続いて斜面６６、位置決め穴６７、凸状に形成された滑り部６８が設けられている。図３に示されるように、ターンテーブル６２周囲には複数の爪部６９が形成されている。ターンテーブル６２はフレーム６１上に回転可能に保持されていて、逆さにしても外れることはない。なおターンテーブル６２の下面には開口部（不図示）が形成されている。
【００２７】
ターンテーブル６２の外周には角度指標７１が、フレーム６１には角度目盛り７２が設けられている。またターンテーブル６２周囲には方眼目盛り７３が設けられている。ターンテーブル６２の左右にあたる位置の滑り部６８は階段状に形成されており、方眼目盛り７３に準じた目盛りとなっている。
【００２８】
ターンテーブル６２の底部には開口部（不図示）が形成されており、その上面にはガラス板８０が固定され、フィルム１のサイズに応じたマスク８１が取り付けられている。なお、マスク８１は軸８２により位置決めされ、フィルム１のサイズに応じて交換ができる。
ターンテーブル６２の一端にはヒンジ８３と枠部材８４を介してガラス板８５が開閉自在に支持されている。ターンテーブル６２の他端には枠部材８４の先端部８４ａをロックするための押さえ部８６が設けられている。
【００２９】
フィルムホルダ６０にフィルム１を装填するためには、図４に示されるように、先ずフィルムホルダ６０の押さえ部８６をずらして枠部材８４の先端部８４ａを開放する。ガラス板８０上のマスク８１をフィルム１のサイズに対応したものに交換し、マスク８１の位置合わせ部８７に合わせてフィルム１を載置する。ガラス板８５と一体の枠部材８４を閉じ、押さえ部８６で固定する。フィルム１はマスク８１上で２枚のガラス板８０、８５に挟まれて保持され、平面性が保たれる。透過原稿としてのフィルム１はガラス板８０、８５に挟まれて、枠部材８４や開口部内に観察可能であり、画像入力装置としてのスキャナでの読み取りが可能となる。
【００３０】
マスク８１は画像のない部分からの光の影響を抑えて、いわゆるカブリのない、良好な読み取りデータを得るためのものである。
マスク８１を用いない場合には位置合わせ部８７が利用できないが、フィルム１の位置および角度はフレーム６１の方眼および角度目盛りを利用して位置決めできる。
【００３１】
図６に示されるようにフィルムホルダ６０の下方には複数の脚部７６がある。脚部７６の寸法はフィルム１が載置されるガラス８０の面から等しい距離になるように成形されている。
次に図５、図６を用いて、ステージ４７周辺の詳細を説明する。
軸３３を回転軸とする扉３４の後方にはガイドバー９１にガイドされるステージ４７が移動可能に支持される。なお、図５、図６中にはその駆動部は示さない。
【００３２】
ステージ４７中央にはフィルムの読み取り範囲に対応する開口９２が備えられる。ステージ４７左右には前方にテーパ部９３ａを有する側壁９３が１組備えられる。フィルムホルダ６０をステージ４７に取り付ける場合、ステージ４７の側壁９３はフィルムホルダ６０の側壁７５と当接する構成となっている。この当接により、フィルムホルダ６０はステージ４７に対して挿入方向のほぼ垂直な方向の位置決めがなされる。
【００３３】
側壁部９３のやや前方上方には板ばね９４が１組が備えられる。板ばね９４はフィルムホルダをステージ４７に付勢するためのものである。図６に示されるように、板ばね９４はフィルムホルダ６０の脚部７６に相当する部分をステージ４７に向けて付勢する。そのためより安定してフィルムホルダ６０を付勢することができる。
【００３４】
側壁部９３やや後方には軸９５と長穴９６でガイドされ引っ張りばね９７で付勢される戻し部材９８が１組備えられている。戻し部材９８は側壁９３の内側にその腕部９８ａ、９８ｃが突出している。腕部９８ａ、９８ｃは、フィルムホルダ６０が挿入される状態で、フィルムホルダ６０前方の正面側壁７４と当接する位置に配置されている。
【００３５】
後方にはシーソー部材９９が設置されている。シーソー部材９９の前側先端部に位置決め軸１００が取り付けられている。またシーソー部材９９の中央上方に腕部９９ａが取り付けられている。シーソー部材９９は、軸を回転軸としてその後方のばねにより位置決め軸１００が下向きに力が加わるように付勢されている。
【００３６】
ステージ４７が脚部７６に当接する部分には、ガイドバーからの高さ寸法が精度よく管理されたレール部１０１が形成されている。ステージ４７上面のレール部１０１以外の部分は、レール部１０１よりも低くなっており、フィルムホルダ６０と接触しないように構成されている。
フィルムホルダ６０がステージ４７に取り付けられている状態では、フィルムホルダ６０の脚部７６とステージ４７のレール部１０１とが当接している。前述したように脚部７６の寸法はフィルム１が載置されるガラス８０の面から等しい距離になるように精度よく成形されている。そのためフィルム１面とステージ４７面とは平行になる。そしてフィルム１面とステージ４７面との距離も一義的に決めることができる。
【００３７】
フィルムホルダ６０の板ばね９４が当接する部分は他の部分よりも凸になっていて、脚部７６の底面から前記凸の部分との距離が等しくなるように精度よく成形されている。また、フィルムホルダの画面中心を取り囲んで均等な力でステージ４７上にフィルムホルダ６０が支持される。そのためフィルム１面とステージ４７面とが平行になる。
【００３８】
ステージ左後方のシーソー部材９９の内側には突起部１０２が形成されている。ステージ後方中央には副走査方向に雌ねじ１０３が形成されている。
右側戻し部材９８にはそのステージ４７の外側に光反射部９８ｂが形成されている。
１組の固定部材１０４はステージ４７とは独立に画像入力装置本体に固定されている。固定部材１０４はフィルムホルダ挿入待機位置よりも前方にステージ４７が移動した際に、シーソー部材９９の腕部９９ａを駆動するように配置されている。挿入待機位置に関しては、フィルムホルダ６０の挿入排出の説明の中で詳述する。
【００３９】
反射型光電センサ１０５はステージ４７とは独立に固定されている。反射型光電センサ１０５は、フィルムホルダ挿入待機位置にあるステージ４７に、フィルムホルダ６０が挿入される際に、右側戻し部材９８の光反射部９８ｂを検出するものである。
ケースの背面には雄ねじ１０６が回転自在に支持されている。この雄ねじ１０６はステージ４７の雌ねじ１０３と軸を一致して配置される。ステージ４７の読み取り時の移動範囲では雄ねじ１０６と雌ねじ１０３とは離れた位置に有り、螺合しない。ステージ４７を読み取り範囲のさらに後方に移動させると、雄ねじ１０６をステージ４７の雌ねじ１０３に螺合させて、ステージ４７をケース３１に固定することができる。
【００４０】
次に図５、図６、図７を用いて、フィルムホルダ６０の挿入、排出とステージ４７の固定位置への移動について説明する。
図７Ａ乃至図７Ｆで、図中左側が画像入力装置前方である。図７中左側には軸３３と扉３４とが備えられている。また図７中右側にはステージを固定する雄ねじ１０６が備えられている。一点鎖線で示す中央の線が画像読み取り位置である。尚、図７Ａ乃至図７Ｆにおいて同じ番号の部品は、番号の記載を省略している。
【００４１】
図７Ａはステージ４７がフィルムホルダ６０の挿入待機位置にある状態を示す。図６はフィルムホルダ６０がロックした状態を説明する図であるが、ステージ４７の位置が挿入待機位置と同じなので、以下参考にして説明する。
フィルムホルダ６０の挿入がなされていない場合には、画像入力装置本体のステージ４７はフィルムホルダ６０の挿入待機位置にある。本実施例ではステージ４７が挿入待機位置の場合は、シーソー部材９９の腕部９９ａと固定部材１０４との距離は１．５ｍｍである。
【００４２】
フィルムホルダ６０は未だ挿入されておらず、扉３４は閉まっている。この状態では画像の読み取り位置には何も無く、照明部のシェーディングデータの設定が行われる。
図７Ｂはフィルムホルダ６０の挿入動作中の状態を示す。
先ず挿入待機位置にあるステージ４７に対してフィルムホルダ６０をユーザーが手動で挿入する。するとフィルムホルダ６０が扉３４を押圧しながらケース３１内に挿入される。更に挿入されるとフィルムホルダ６０の滑り部６８が板ばね９４により付勢され、脚部７６がレール部１０１を摺動しながら進む。次に斜面６６が位置決め軸１００を持ち上げながら進む。そして位置決め軸１００は位置決め穴６７に落ち込む。この間にフィルムホルダ６０は、戻し部材９８の腕部９８ａによりステージ前方に押し戻される方向に力を受けている。手を放すと、この押し戻される力により、位置決め軸１００および段部１０７と位置決め穴６７とで挿入方向におけるフィルムホルダ６０の位置が確定する。またフィルムホルダ６０は滑り部６８の後端部を板ばね９４で、前端部をシーソー部材９９の段部１０７でステージ４７に対して下方向に押さえられ、上下方向の位置が確定する。このようにして図６に示されるようにフィルムホルダ６０はステージ４７上にロックされる。
【００４３】
尚、位置決め穴６７が長穴になっている。そのためフィルムホルダ６０が挿入されて、位置決め軸１００と位置決め穴６７との係合が完成して以降もフィルムホルダ６０をさらに奥へ移動する余裕がある。この係合状態に達してからのフィルムホルダ６０の移動を、反射型光電センサ１０５が反射部９８ｂの反射を検出し、係止検出信号をＣＰＵ４８に出力する。この検出によりＣＰＵ４８はフィルムホルダ６０の装填完了を確認する。
【００４４】
ＣＰＵ４８は反射型光電センサ１０５の係止検出信号に応答してステージモータ７を駆動させる。ステージモータ７の駆動力はリードねじ６を介してステージ４７に伝えられ、ステージ４７が画像読み取り開始位置（図７Ｃの状態）まで移動される。ステージ４７が画像読み取り位置に移動する過程で、フィルムホルダ６０と扉３４との接触解除に連動して、扉３４は閉まる。本実施例では扉の閉鎖を重力の利用によって行った。その代わりにコイルばね、ねじりばね、板ばね、ソレノイドやモータ等の電磁力等適宜の力を利用してもよい。
【００４５】
本実施例ではフィルムホルダ６０の装填完了を確認するとすぐにステージ４７を画像読み取り位置まで移動する。そのためユーザーは煩わしい操作をすることなく、すぐに画像読み取りを開始することができる。
また、本実施例ではフィルムホルダ６０がステージ４７に係止を反射型光電センサ１０５により検知してから、ステージ４７を画像読み取り位置まで移動する。そのため原稿１の不完全なセットにより原稿１の一部しか読み取ることが出来ないという失敗を防ぐことができる。
【００４６】
尚、反射型光電センサ１０５はステージ４７が挿入待機位置にある場合に機能する。また、ステージ４７の位置はステージ位置検出部材（不図示）やステージモータ７の駆動パルス数等により管理される。
図７Ｃはフィルムホルダ６０が読み取り開始位置にある状態を示す。図７Ｄはフィルムホルダ６０が読み取り終了位置にある状態を示す。
【００４７】
図７Ｃの状態でホストコンピュータから画像読み取り命令が入力されると、ＣＰＵ４８は画像読み取り処理を開始する。
まずＣＰＵ４８はステージモータ７に駆動命令をする。するとステージ４７は駆動機構により駆動されて後方に移動し、フィルム１の画像の読み取りのための副走査が行われる。
【００４８】
またＣＰＵ４８は光源１１の点灯を命令し、光源１１が点灯する。そして照明部３５によりフィルム１の読み取り位置が照明される。フィルム１上の画像を透過した光はミラー４６及びレンズ１７を介してＣＣＤ１８上に結像される。そしてＣＣＤ１８が１ラインの画像の読み取りを行う。この主走査方向の読み取り動作を、順次副走査方向、すなわちフィルム１の移動方向に移動させながら繰り返すことにより、２次元的にフィルム１の画像を入力することができる。
【００４９】
ＣＣＤ１８はフィルム１の画像を読み取り、光電変換して画像信号を画像処理部（不図示）へ出力する。
そして図７Ｄに示されるフィルムホルダが読み取り終了位置までの画像を全て読み取り終えると、上述の画像読み取り処理を終了する。
図７Ｃから図７Ｄまでの間、扉３４は閉まった状態で維持される。そのため、画像読み取りの際に埃や、画像入力装置外部の光の影響を受けることがない。また、原稿１の画像読み取り可能位置への移動に連動して、扉３４を閉鎖することにしたので、扉３４を閉め忘れることがない。よって画質を落とすことなく良好な画像読み取りを行うことができる。
【００５０】
図７Ｅはフィルムホルダ６０の排出動作がなされている状態を示す。画像入力装置に設けられたスイッチ５０（請求項１に記載された「排出・固定指示手段」に相当）からの排出信号またはホストコンピュータからの排出命令をＣＰＵ４８（請求項１に記載された「検知手段」に相当）が検出すると、ＣＰＵ４８は排出処理を開始する。スイッチ５０はユーザーによって操作されると直ちに信号を出力する。ＣＰＵ４８は入力された信号が排出信号であると判断してステージモータ７に駆動を命令する。ステージモータ７の駆動力はリードねじ６を介してステージ４７に伝えられ、ステージ４７は画像入力装置前方に移動する。
【００５１】
ステージ４７が前方に移動すると、固定部材１０４がシーソー部材９９の腕部９９ａに当接する。更にステージ４７が移動すると固定部材１０４が腕部９９ａをステージ後方に押圧して、シーソー部材９９を図６において時計回りの運動を生じさせる。すなわちシーソー部材９９は位置決め軸１００が位置決め穴６７から解除される方向に回転する。そしてステージ４７が挿入待機位置から５ｍｍ排出側に移動すると位置決め軸１００は位置決め穴６７から解除される。するとフィルムホルダ６０は、戻し部材９８の腕部９８ａ，９８ｃにより押し戻される。すると図７Ｅに示されるように、フィルムホルダ６０の後端が扉３４を押し開き、挿入部３２から外に出る。よってユーザーはフィルムホルダ６０の後端をつまんで、それを挿入口３２から引き抜くことができる。尚、ステージ４７が挿入待機位置になると、ＣＰＵ４８はステージモータ７の駆動を停止する。
【００５２】
排出信号を出力するスイッチ５０が画像入力装置にあるので、ホストコンピュータの電源が切れていても、原稿１を取り出すことができる。ホストコンピュータを立ち上げなおす必要がないので、原稿１を取り出すのに時間が掛からない。図７Ｆはステージ４７が固定位置にある状態を示す。
画像入力装置を輸送する際には、輸送時にかかる不用意な振動に備えるため、ステージを固定するのがよい。画像入力装置に設けられたスイッチ５０から出力される固定位置信号やホストコンピュータからの固定位置移動指令に応答してＣＰＵ４８は、フィルムホルダ６０の固定位置への移動処理を実行する。
【００５３】
スイッチ５０が３秒以上信号を出力し続けると、ＣＰＵ４８は入力されている信号が固定位置信号であると判断する。するとＣＰＵ４８はステージモータ７に駆動を命令する。ステージモータ７の駆動力はリードねじ６を介してステージ４７に伝えられ、ステージ４７は画像入力装置後方に移動する。ステージが図７Ｆに示される固定位置になるとＣＰＵ４８はステージモータ７の駆動を停止し、ステージ４７は固定位置で停止する。本実施例の装置におけるステージ４７の固定位置は原稿１がＣＣＤ１８の画像読み取り範囲外になるように設定した。
【００５４】
ステージ４７が固定位置にある状態で、雄ねじ１０６をステージ４７の雌ねじ１０３にねじ止めすることにより、ステージ４７は画像入力装置のケース３１等の固定部材と一体になる。輸送を終えて画像入力装置を使用する際には、雄ねじ１０６を緩めてから画像入力装置の電源を入れて初期化動作を行うことにより、ステージ４７はフィルムホルダ６０の挿入待機位置へと移動する。
【００５５】
固定位置信号を出力するスイッチ５０が画像入力装置にあるので、ホストコンピュータの電源が切れていても、ステージ４７を固定位置まで駆動することができる。ホストコンピュータを立ち上げる時間を待つ必要なしで、ステージ４７を固定位置へ移動することができる。そのため固定位置へ移動するのに時間が掛からない。
【００５６】
図７Ｆに示されるように、ステージ４７が固定位置にある場合には、ステージ４７は画像読み取り範囲から外れている。そのため画像入力装置の輸送時に多少の衝撃が加わって、ガイドバー９１とステージ４７とが当接する部分に変形等があっても、画像読み取りに影響を与えずに済む。高解像度での画像読み取りにおいてステージ４７の副走査方向の移動が精密に行われないと十分な画質がでないという問題が生じる。特に、画像読み取り範囲内でガイドバー９１が変形してしまうと、画像に劣化が生じてしまう可能性が高い。本実施例の装置では、ステージ４７は画像読み取り範囲から外れた位置でステージ４７を固定するので、上述のような問題を防止することができる。
【００５７】
通常の輸送の際はインターフェース４９に接続されているコネクタを全て外してから行う。図１に示すように、本実施例の装置では固定のための雄ねじ１０６がインターフェース４９と同じ面に備え付けられている。そのため、作業する面が１つでありユーザーが作業しやすい。また同じ面にあることにより、ステージ４７の固定位置におけるネジ止めを忘れることを防止する効果もある。
【００５８】
また、スイッチ５０がフィルムホルダ６０の排出指示と、ステージ４７の固定位置移動指示との機能を兼ねている。そのため、部品点数が少なくなるという効果がある。
また、本実施例の装置ではＣＰＵ４８がスイッチ５０が操作されている時間の長さで、排出指示か固定位置移動指示かを判断することとした。そのため、ユーザーが画像読み取りを終えてから、画像入力装置を搬送したいと考える場合スイッチ５０を操作し続ければ良い。すると先ず、スイッチ５０が操作されたことをＣＰＵ４８が検出して、フィルムホルダ６０の排出処理を行う。更にスイッチ５０が３秒以上操作され続けるとステージ４７の固定位置移動の処理が行われる。一連の処理がユーザーの一つの操作で簡単に実行することができる。
【００５９】
尚、上記実施例ではスイッチ５０の操作されている時間で、排出指示か固定位置移動指示かをＣＰＵ４８が判断することとした。その代わりにスイッチ５０がワンクリックされることを検知するとＣＰＵ４８が排出指示であると判断し、スイッチ５０がダブルクリックされることを検知するとＣＰＵ４８が固定位置移動指示であると判断することにしても良い。
【００６０】
これまで説明してきたのは透過原稿としてのフィルム１を扱う画像入力装置並びにフィルムホルダ６０であったが、反射原稿にも適用できることは言うまでもない。
尚、上述した実施例ではステージ４７のシーソー部材９９に位置決め軸１００を取り付け、フィルムホルダ６０側に位置決め穴６７を備えることとした。そのかわりに、位置決め軸をフィルムホルダ６０側に備え、位置決め穴をステージ４７のシーソー部材９９に備えることにしてもよい。
【００６１】
【発明の効果】
本発明の装置では、光電変換手段による原稿の画像読み取り可能範囲外に、載置手段を固定する固定手段を有することとしたので、画像入力装置の輸送などで生じる外部からの影響を防止し、良好な画像読み取りを実現することができる。また、原稿保持手段の排出指示および固定位置移動指示といった一連の処理がユーザーの１つの操作で簡単に実行することができる。
【図面の簡単な説明】
【図１】本発明による画像入力装置の実施例を説明する縦断面図である。
【図２】本発明による画像入力装置の実施例を説明する斜視図で、原稿ホルダを示す。
【図３】本発明による画像入力装置の実施例で使用される原稿ホルダの平面図である。
【図４】本発明による画像入力装置の実施例で使用される原稿ホルダの使用方法を説明するための斜視図である。
【図５】本発明による画像入力装置の実施例を説明する斜視図で、ステージの要部を示す。
【図６】本発明による画像入力装置の実施例を説明する縦断面図で、ステージ上に原稿ホルダを位置決めする状態を示す。
【図７】画像入力装置に対する原稿ホルダ、ステージ等の位置と状態とを模式的に示す図である。
【図８】従来の画像入力装置の一例の内部概略構成を示す横断面図である。
【図９】従来の画像入力装置の一例の外観斜視図である。
【符号の説明】
１      フィルム（原稿）
２      スライド
３      マウント部
４      ステージ
５      ホルダ
６      リードねじ
７      ステージモータ
８      ガイドバー
１１    光源
１２    熱吸収フィルタ
１３    拡散板
１４    色フィルタ
１５    コンデンサレンズ
１６    ミラー
１７    レンズ
１８    ＣＣＤ
２１    結合部指示部材
２２    リードねじ
２３    焦点合わせモータ
２４    ケース
２５    電源
２６    空気取入口
２７    排気ファン
３０    凹部カバー
３１    ケース
３２    挿入口
３３    軸
３４    扉
３５    照明部
３６    原稿走査部
３７    結像部
４１    第一のコンデンサレンズ
４２    第一のミラー
４３    第二のミラー
４４    第三のミラー
４５    第二のコンデンサレンズ
４６    ミラー
４７    ステージ
４８    ＣＰＵ
４９    インターフェース
５０    スイッチ
６０    フィルムホルダ
６１    フレーム
６２    ターンテーブル
６３    右切り欠き部
６４    左切り欠き部
６５    溝部
６６    斜面
６７    位置決め穴
６８    滑り部
６９    爪部
７１    角度指標
７２    角度目盛
７３    方眼目盛
７４    正面側壁
７５    側壁
７６    脚部
７７    正面壁
８０    ガラス板
８１    マスク
８２    軸
８３    ヒンジ
８４    枠部材
８４ａ  先端部
８５    ガラス板
８６    押さえ部
８７    位置合わせ部
９１    ガイドバー
９２    開口
９３    側壁
９４    板ばね
９５    軸
９６    長穴
９７    引っ張りばね
９８    戻し部材
９９    シーソー部材
１００  位置決め軸
１０１  レール部
１０２  突起部
１０３  雌ねじ
１０４  固定部材
１０５  反射型光電センサ
１０６  雄ねじ
１０７  段部
１１０  板ばね
１２０  開口部
１２１  板ばね
１２２  トレイ
１２３  ソレノイド
【図１】
0003600863.tif 000002
【図２】
0003600863.tif 000003
【図３】
0003600863.tif 000004
【図４】
0003600863.tif 000005
【図５】
0003600863.tif 000006
【図６】
0003600863.tif 000007
【図７】
0003600863.tif 000008
【図８】
0003600863.tif 000009
【図９】
0003600863.tif 000010